(57)【特許請求の範囲】
【請求項１】
コンピュータ資源を利用して所定の地点から目的地までの客動線を作成する客動線作成システムにおいて、
前記客動線作成システムが、所定区域の住宅地図データに任意に選択した目的地を中心としてその中心から直近に第１同心円を表示するとともに、前記第１同心円から径方向外方に向かって径方向の離間寸法が同一の複数の第２〜第ｎ同心円を表示する第１〜第ｎ同心円表示手段と、前記住宅地図データに表示された道路と前記第１〜第ｎ同心円との交点に第１〜第ｎ地点を表示する第１〜第ｎ地点表示手段と、前記第ｎ地点から前記目的地までの徒歩による前記道路の最短ルートを検索した後、前記第ｎ地点の１つ内側の同心円の第ｎ−１地点から前記目的地までの徒歩による前記道路の最短ルートを検索するように、前記第ｎ地点から前記第１地点に向かって順次最短ルートを検索する最短ルート検索手段と、前記最短ルート検索手段によって検索した前記第ｎ〜第１地点から前記目的地までの最短ルートを前記住宅地図データに表示する最短ルート表示手段と、前記最短ルート表示手段によって表示された前記第ｎ地点から前記第１地点を通る前記目的地までの道路の最短ルートを前記客動線として前記住宅地図データに表示する客動線表示手段とを有することを特徴とする客動線作成システム。
【請求項２】
前記最短ルート検索手段では、前記第ｎ地点から前記目的地までの最短ルートを検索した後に、前記第ｎ地点からの最短ルートがその１つ内側の特定の第ｎ−１地点から特定の第１地点を通っている場合、前記最短ルートが通る前記特定の第ｎ−１地点〜第１地点から目的地までの最短ルートの検索は行わない請求項１に記載の客動線作成システム。
【請求項３】
前記客動線表示手段では、前記第１〜第ｎ同心円を消去しつつ、前記客動線を前記住宅地図データに表示する請求項１または請求項２に記載の客動線作成システム。
【請求項４】
前記客動線作成システムが、前記最短ルートが通る前記第ｎ地点〜前記第１地点から前記目的地までの歩行時間を該最短ルートが通る前記第１〜第ｎ地点に表示する歩行時間表示手段を含む請求項１ないし請求項３いずれかに記載の客動線作成システム。
【請求項５】
前記客動線作成システムが、前記最短ルートが通る前記第ｎ地点〜前記第１地点から前記目的地までの歩行距離を該最短ルートが通る前記第１〜第ｎ地点に表示する歩行距離表示手段を含む請求項１ないし請求項４いずれかに記載の客動線作成システム。
【請求項６】
前記客動線作成システムが、前記第１〜第ｎ地点が位置する住居表示の丁目単位、丁目−番単位、丁目−番−号単位のいずれかの人口数を検索する人口数検索手段と、前記人口数検索手段によって検索した人口数を前記客動線が通る前記第ｎ地点から前記第１地点に向かって順次加算する人口数加算手段と、前記人口数加算手段によって加算した人口数を前記客動線が通る第１〜第ｎ地点における通行量としてそれら地点に表示する通行量表示手段とを含む請求項１ないし請求項５いずれかに記載の客動線作成システム。
【請求項７】
前記人口数検索手段が、前記人口数を性別毎に区分して検索し、前記人口数加算手段が、前記人口数検索手段によって検索した性別毎の人口数を前記客動線が通る前記第ｎ地点から前記第１地点に向かって順次加算し、前記通行量表示手段が、前記人口数加算手段によって加算した性別毎の人口数を前記客動線が通る第１〜第ｎ地点における性別毎の通行量としてそれら地点に表示する請求項６に記載の客動線作成システム。
【請求項８】
前記人口数検索手段が、前記人口数を年齢別または年齢層に区分して検索し、前記人口数加算手段が、前記人口数検索手段によって検索した年齢別または年齢層の人口数を前記客動線が通る前記第ｎ地点から前記第１地点に向かって順次加算し、前記通行量表示手段が、前記人口数加算手段によって加算した年齢別または年齢層の人口数を前記客動線が通る第１〜第ｎ地点における年齢別または年齢層の通行量としてそれら地点に表示する請求項６または請求項７に記載の客動線作成システム。
【請求項９】
前記客動線作成システムが、最も外側に位置する第ｎ同心円から前記目的地までを住居表示の町村単位または丁目単位の行政区画に区分する行政区画区分手段を含み、前記客動線表示手段では、前記行政区画区分手段によって区分された前記町村単位または前記丁目単位で前記客動線を表示し、前記通行量表示手段では、前記行政区画区分手段によって区分された前記町村単位または前記丁目単位で前記人口数を表示する請求項６ないし請求項８いずれかに記載の客動線作成システム。
【請求項１０】
前記客動線作成システムが、前記所定区域の住宅地図データに存在して同一分野の商品を販売する複数の販売店または同一分野の役務を提供する複数の提供店を前記客動線とともに表示する店表示手段を含む請求項１ないし請求項９いずれかに記載の客動線作成システム。
【請求項１１】
前記客動線作成システムが、前記所定区域の住宅地図データに存在して同一分野の商品を販売する複数の自動販売機を前記客動線とともに表示する自動販売機表示手段を含む請求項１ないし請求項９いずれかに記載の客動線作成システム。
【請求項１２】
前記客動線作成システムが、前記所定区域の住宅地図データに存在する複数の基地局を前記客動線とともに表示する基地局表示手段を含む請求項１ないし請求項９いずれかに記載の客動線作成システム。
【発明の詳細な説明】
【技術分野】
【０００１】
本発明は、コンピュータ資源を利用して所定の地点から目的地までの客動線を作成する客動線作成システムに関する。
【背景技術】
【０００２】
物品それぞれに取り付けられた無線タグから発信する固有の識別情報と、特定の施設内で使用できる備品としての物品を所定のエリア外に持ち出しまたは所定のエリア内に返却するための保管場所としての特定の施設内の予め定めた特定エリア内におけるそれら物品の配置されている場所を表わした位置情報とを登録するデータベースと、特定エリア内に配置されているそれぞれの物品の無線タグといずれか１つが通信する互いに間隔をおいて配置された複数の無線通信部と、複数の無線通信部が時間間隔をおいて特定エリア内の物品の無線タグと通信を行うことで、複数の無線通信部のそれぞれの通信領域と対応付けられた位置情報と識別情報とをそれら物品から繰り返し取得する情報取得手段と、情報取得手段によって取得した識別情報毎に取得時刻とともにデータベースを更新するデータベース更新手段と、データベース更新手段によっていずれかの識別情報について取得時刻に更新が行われなかったとき、その識別情報に対応する物品がその取得時刻と同一の消失時刻に特定エリア内の位置情報で表わされる物品の配置されている場所から消失したことが検出されたものとする物品消失検出手段と、特定の施設内における特定エリア外の所定の処理地点に配置され、物品消失検出手段によって消失の検出された各物品を無線タグから発信する無線信号の受信によって検出する処理地点到来検出手段と、処理地点到来検出手段によって同時に検出された物品どうしを少なくとも一人の客によって同時に運ばれてきた１つのグループの物品としてグループ化するグループ化手段と、グループ化手段によって１つのグループにまとめられた各物品の特定エリア内におけるそれぞれの消失した場所を表わす位置情報をデータベースでそれら物品の識別情報をキーとして検索する検索手段と、検索手段の検索結果から消失時刻の順にそれら物品の位置情報で表わされた場所を結んだ客動線を求める客動線演算手段とを有する客動線調査システムが開示されている。
【０００３】
この客動線調査システムは、物品が予め定めた特定エリアから消失したときにそれを消失時刻とともに検出し、少なくとも一人の客によって同時に運ばれた物品どうしを１つのグループの物品としてグループ化し、グループ内の物品の消失した時刻の順にそれぞれの物品の消失直前の場所を結んだ客動線を演算することができる。
【先行技術文献】
【特許文献】
【０００４】
【特許文献１】特許第４４０７２９５号
【発明の概要】
【発明が解決しようとする課題】
【０００５】
前記特許文献１に開示の客動線調査システムは、無線タグを取り付けた物品の所定エリアから他のエリアへの移動を条件に客動線が作成されるから、物品の移動を伴わない場合、例えば、人がある地点から目的地に向かう場合にその地点から目的地までの人の移動ルートの客動線を作成することはできない。また、この客動線調査システムは、物品それぞれに無線タグを取り付け、それら物品の移動を長時間監視しなければならず、客動線の調査に手間やコスト、時間がかかり、客動線を廉価かつ迅速に作成することができない。
【０００６】
本発明の目的は、物品の移動を条件とせず、所定の地点から目的地までの客動線を作成することができる客動線作成システムを提供することにある。本発明の他の目的は、客動線の作成に手間やコスト、時間がかからず、所定の地点から目的地までの客動線を廉価かつ迅速に作成することができる客動線作成システムを提供することにある。
【課題を解決するための手段】
【０００７】
前記課題を解決するための本発明の前提は、コンピュータ資源を利用して所定の地点から目的地までの客動線を作成する客動線作成システムである。
【０００８】
前記前提における本発明の特徴としては、客動線作成システムが、所定区域の住宅地図データに任意に選択した目的地を中心としてその中心から直近に第１同心円を表示するとともに、第１同心円から径方向外方に向かって径方向の離間寸法が同一の複数の第２〜第ｎ同心円を表示する第１〜第ｎ同心円表示手段と、住宅地図データに表示された道路と第１〜第ｎ同心円との交点に第１〜第ｎ地点を表示する第１〜第ｎ地点表示手段と、第ｎ地点から目的地までの徒歩による道路の最短ルートを検索した後、第ｎ地点の１つ内側の同心円の第ｎ−１地点から目的地までの徒歩による道路の最短ルートを検索するように、第ｎ地点から第１地点に向かって順次最短ルートを検索する最短ルート検索手段と、最短ルート検索手段によって検索した第ｎ〜第１地点から目的地までの最短ルートを住宅地図データに表示する最短ルート表示手段と、最短ルート表示手段によって表示された第ｎ地点から第１地点を通る目的地までの道路の最短ルートを客動線として住宅地図データに表示する客動線表示手段とを有することにある。
【０００９】
本発明の一例として、最短ルート検索手段では、第ｎ地点から目的地までの最短ルートを検索した後に、第ｎ地点からの最短ルートがその１つ内側の特定の第ｎ−１地点から特定の第１地点を通っている場合、最短ルートが通る特定の第ｎ−１地点〜第１地点から目的地までの最短ルートの検索は行わない。
【００１０】
本発明の他の一例として、客動線表示手段では、第１〜第ｎ同心円を消去しつつ、客動線を住宅地図データに表示する。
【００１１】
本発明の他の一例としては、客動線作成システムが、最短ルートが通る第ｎ地点〜第１地点から目的地までの歩行時間を最短ルートが通る第１〜第ｎ地点に表示する歩行時間表示手段を含む。
【００１２】
本発明の他の一例としては、客動線作成システムが、最短ルートが通る第ｎ地点〜第１地点から目的地までの歩行距離を最短ルートが通る第１〜第ｎ地点に表示する歩行距離表示手段を含む。
【００１３】
本発明の他の一例としては、客動線作成システムが、第１〜第ｎ地点が位置する住居表示の丁目単位、丁目−番単位、丁目−番−号単位のいずれかの人口数を検索する人口数検索手段と、人口数検索手段によって検索した人口数を客動線が通る第ｎ地点から第１地点に向かって順次加算する人口数加算手段と、人口数加算手段によって加算した人口数を客動線が通る第１〜第ｎ地点における通行量としてそれら地点に表示する通行量表示手段とを含む。
【００１４】
本発明の他の一例としては、人口数検索手段が人口数を性別毎に区分して検索し、人口数加算手段が人口数検索手段によって検索した性別毎の人口数を客動線が通る第ｎ地点から前記第１地点に向かって順次加算し、通行量表示手段が人口数加算手段によって加算した性別毎の人口数を客動線が通る第１〜第ｎ地点における性別毎の通行量としてそれら地点に表示する。
【００１５】
本発明の他の一例としては、人口数検索手段が人口数を年齢別または年齢層に区分して検索し、人口数加算手段が人口数検索手段によって検索した年齢別または年齢層の人口数を客動線が通る第ｎ地点から第１地点に向かって順次加算し、通行量表示手段が人口数加算手段によって加算した年齢別または年齢層の人口数を客動線が通る第１〜第ｎ地点における年齢別または年齢層の通行量としてそれら地点に表示する。
【００１６】
本発明の他の一例としては、客動線作成システムが最も外側に位置する第ｎ同心円から目的地までを住居表示の町村単位または丁目単位の行政区画に区分する行政区画区分手段を含み、客動線表示手段では、行政区画区分手段によって区分された町村単位または丁目単位で客動線を表示し、通行量表示手段では、行政区画区分手段によって区分された町村単位または前記丁目単位で前記人口数を表示する。
【００１７】
本発明の他の一例としては、客動線作成システムが所定区域の住宅地図データに存在して同一分野の商品を販売する複数の販売店または同一分野の役務を提供する複数の提供店を客動線とともに表示する店表示手段を含む。
【００１８】
本発明の他の一例としては、客動線作成システムが所定区域の住宅地図データに存在して同一分野の商品を販売する複数の自動販売機を客動線とともに表示する自動販売機表示手段を含む。
【００１９】
本発明の他の一例としては、客動線作成システムが所定区域の住宅地図データに存在する複数の基地局を客動線とともに表示する基地局表示手段を含む。
【発明の効果】
【００２０】
本発明にかかる客動線作成システムによれば、住宅地図データに表示された道路と第１〜第ｎ同心円との交点に表示された第ｎ地点から第１地点に向かって順次最短ルートを検索かつ表示し、第ｎ地点から第１地点を通る目的地までの道路の最短ルートを客動線として住宅地図データに表示するから、物品の移動を条件とせず、住宅地図データを利用することで所定の地点から目的地までの客動線を容易に作成することができる。客動線作成システムは、各物品に無線タグを取り付ける必要はなく、物品の移動を長時間監視する必要もないから、客動線の作成に手間やコスト、時間がかからず、所定の地点から目的地までの客動線を廉価かつ迅速に作成することができる。客動線作成システムは、人が徒歩で所定の地点から目的地に向かう場合に目的地までの最短ルートを通るという人の習性を利用するから、所定の地点から目的地までの正確な客動線を導出することができ、その客動線を利用して出店箇所や自動販売機の設置箇所、基地局の設置箇所等を正確に決定することができる。
【００２１】
第ｎ地点から目的地までの最短ルートを検索した後に、第ｎ地点からの最短ルートがその１つ内側の特定の第ｎ−１地点から特定の第１地点を通っている場合、最短ルートが通る特定の第ｎ−１地点〜第１地点から目的地までの最短ルートの検索は行わない客動線作成システムは、第ｎ地点から目的地までの最短ルートを検索した後に、最短ルートが特定の第ｎ−１地点から特定の第１地点を通っている場合、すでに特定の第ｎ−１地点から特定の第１地点に対する最短ルートが確定しているから、特定の第ｎ−１地点〜特定の第１地点から目的地までの最短ルートを検索する必要はなく、最短ルート検索の手間を省くことができ、客動線を迅速に作成することができる。
【００２２】
最短ルートが通る第ｎ地点〜前記第１地点から目的地までの歩行時間を第１〜第ｎ地点に表示する客動線作成システムは、所定の地点から目的地までの最短ルートにおける歩行時間が表示されることで、その最短ルートの信憑性を確認することができるとともに、所定の地点から目的地までの徒歩による所要時間を把握することができる。客動線作成システムは、表示された歩行時間が人の歩行時間の限界を超えている場合に外側から同心円の数を減らすことで、所定の地点から目的地までの歩行時間を減らすことができ、常識的な人の歩行時間に合致させた客動線を作成することができる。
【００２３】
最短ルートが通る第ｎ地点〜前記第１地点から目的地までの歩行距離を最短ルートが通る第１〜第ｎ地点に表示する客動線作成システムは、所定の地点から目的地までの最短ルートにおける歩行距離が表示されることで、その最短ルートの信憑性を確認することができるとともに、所定の地点から目的地までの徒歩による距離を把握することができる。客動線作成システムは、表示された歩行距離が人の歩行距離の限界を超えている場合に外側から同心円の数を減らすことで、所定の地点から目的地までの歩行距離を減らすことができ、常識的な人の歩行距離に合致させた客動線を作成することができる。
【００２４】
第１〜第ｎ地点が位置する住居表示の丁目単位、丁目−番単位、丁目−番−号単位のいずれかの人口数を検索し、検索した人口数を客動線が通る第ｎ地点から第１地点に向かって順次加算するとともに、加算した人口数を客動線が通る第１〜第ｎ地点における通行量としてそれら地点に表示する客動線作成システムは、客動線を通る人の人数を各地点毎に表示するから、各地点毎の通行量を把握することができ、複数の客動線のうち、通行量の多少を確認することができる。客動線作成システムは、所定の地点から目的地までの客動線を導出することができるとともに、それら客動線における通行量を表示することができるから、客動線や通行量を利用し、通行量が多く宣伝効果が高い客動線上の最適な箇所を選定することができ、出店箇所や自動販売機の設置箇所、基地局の設置箇所等を正確に決定することができる。
【００２５】
人口数を性別毎に区分して検索し、検索した性別毎の人口数を客動線が通る第ｎ地点から第１地点に向かって順次加算するとともに、加算した性別毎の人口数を客動線が通る第１〜第ｎ地点における性別毎の通行量としてそれら地点に表示する客動線作成システムは、客動線を通る人の人数を各地点毎かつ性別毎に表示するから、各地点毎の性別毎の通行量を把握することができ、複数の客動線のうち、性別毎の通行量の多少を確認することができる。客動線作成システムは、所定の地点から目的地までの客動線を導出することができるとともに、それら客動線における性別毎の通行量を表示することができるから、客動線や性別毎の通行量を利用し、通行量が多く宣伝効果が高い客動線上の最適な箇所を選定することができ、出店箇所や自動販売機の設置箇所、基地局の設置箇所等を正確に決定することができる。
【００２６】
人口数を年齢別または年齢層に区分して検索し、検索した年齢別または年齢層の人口数を客動線が通る第ｎ地点から前記第１地点に向かって順次加算するとともに、加算した年齢別または年齢層の人口数を客動線が通る第１〜第ｎ地点における年齢別または年齢層の通行量としてそれら地点に表示する客動線作成システムは、客動線を通る人の人数を各地点毎かつ年齢別または年齢層毎に表示するから、各地点毎の年齢別または年齢層毎の通行量を把握することができ、複数の客動線のうち、年齢別または年齢層毎の通行量の多少を確認することができる。客動線作成システムは、所定の地点から目的地までの客動線を導出することができるとともに、それら客動線における年齢別または年齢層毎の通行量を表示することができるから、客動線や年齢別または年齢層毎の通行量を利用し、通行量が多く宣伝効果が高い客動線上の最適な箇所を選定することができ、出店箇所や自動販売機の設置箇所、基地局の設置箇所等を正確に決定することができる。
【００２７】
最も外側に位置する第ｎ同心円から目的地までを住居表示の町村単位または丁目単位の行政区画に区分し、区分された町村単位または丁目単位で客動線を表示し、区分された町村単位または丁目単位で人口数を表示する客動線作成システムは、住居表示の町村単位または丁目単位に客動線を表示するとともに、町村単位または丁目単位の客動線を通る人の人数を住居表示の町村単位または丁目単位で各地点毎に表示するから、町村単位または丁目単位で通行量を把握することができ、町村単位または丁目単位の通行量の多少を確認することができる。客動線作成システムは、町村単位または丁目単位で所定の地点から目的地までの客動線を導出することができるとともに、町村単位または丁目単位の客動線における通行量を表示することができるから、町村単位または丁目単位の客動線や通行量を利用し、通行量が多く宣伝効果が高い客動線上の最適な箇所を選定することができ、町村単位または丁目単位の出店箇所や自動販売機の設置箇所、基地局の設置箇所等を決定することができる。
【００２８】
所定区域の住宅地図データに存在して同一分野の商品を販売する複数の販売店または同一分野の役務を提供する複数の提供店を客動線とともに表示する客動線作成システムは、同一分野の商品を販売する販売店や同一分野の役務を提供する提供店が客動線とともに表示されるから、販売店や提供店が客動線に沿って存在しているかを判断することができるとともに、販売店や提供店が客動線のうちの通行量の多いそれに沿って存在しているかを判断することができる。客動線作成システムは、販売店や提供店の位置を客動線や通行量に対応させて判断することができるから、既設の販売店や提供店の最適な移転箇所を客動線や通行量から容易に判断することができ、新規の販売店や提供店の最適な設置箇所を客動線や通行量から容易に判断することができる。客動線作成システムは、所定区域の住宅地図データに存在する販売店の販売数量や提供店の提供数量、売れ筋商品、売れ筋役務を把握することができるとともに、その商品や役務を購入する顧客層を把握することができるから、その販売店や提供店で販売、提供する顧客層に合わせた商品や役務を容易に選定することができ、販売店における商品の販売数量を増やすことができるとともに、提供店における役務の提供数量を増やすことができる。
【００２９】
所定区域の住宅地図データに存在して同一分野の商品を販売する複数の自動販売機を客動線とともに表示する客動線作成システムは、同一分野の商品の自動販売機が客動線とともに表示されるから、自動販売機が客動線に沿って存在しているかを判断することができるとともに、自動販売機が客動線のうちの通行量の多いそれに沿って存在しているかを判断することができる。客動線作成システムは、自動販売機の位置を客動線や通行量に対応させて判断することができるから、既設の自動販売機の最適な移設箇所を客動線や通行量から容易に判断することができ、新規の自動販売機の最適な設置箇所を客動線や通行量から容易に判断することができる。客動線作成システムは、所定区域の住宅地図データに存在する自動販売機の販売数量や売れ筋商品、その商品を購入する顧客層を把握することができるから、その自動販売機に収納する顧客層に合わせた商品を容易に選定することができ、自動販売機における商品の販売数量を増やすことができる。
【００３０】
所定区域の住宅地図データに存在する複数の基地局を客動線とともに表示する客動線作成システムは、基地局が客動線とともに表示されるから、基地局が客動線に沿って存在しているかを判断することができるとともに、基地局が客動線のうちの通行量の多いそれに沿って存在しているかを判断することができる。客動線作成システムは、基地局の位置を客動線や通行量に対応させて判断することができるから、既設の基地局の最適な移設箇所を客動線や通行量から容易に判断することができ、新規の基地局の最適な設置箇所を客動線や通行量から容易に判断することができる。
【図面の簡単な説明】
【００３１】
【図１】一例として示す客動線作成システムの概念構成図。
【図２】ディスプレイに表示された初期画面の一例を示す図。
【図３】ディスプレイに表示された住宅地図データ表示画面の一例を示す図。
【図４】ディスプレイに表示された同心円表示画面の一例を示す図。
【図５】ディスプレイに表示された客動線表示画面の一例を示す図。
【図６】ディスプレイに表示された客動線・歩行時間・歩行距離表示画面の一例を示す図。
【図７】ディスプレイに表示された客動線・通行量表示画面の一例を示す図。
【図８】ディスプレイに表示された住宅地図データ表示画面の他の一例を示す図。
【図９】ディスプレイに表示された同心円表示画面の他の一例を示す図。
【図１０】ディスプレイに表示された客動線表示画面の他の一例を示す図。
【図１１】ディスプレイに表示された客動線・店表示画面の一例を示す図。
【図１２】ディスプレイに表示された客動線・自販機表示画面の一例を示す図。
【図１３】ディスプレイに表示された客動線・基地局表示画面の一例を示す図。
【発明を実施するための形態】
【００３２】
一例として示す客動線作成システムの概念構成図である図１等の添付の図面を参照し、本発明にかかる客動線作成システムの詳細を説明すると、以下のとおりである。客動線作成システムは、サーバ１０（コンピュータ資源）を利用し、所定の地点から目的地までの客動線を作成（導出）する。
【００３３】
サーバ１０は、中央処理部（ＣＰＵまたはＭＰＵ）とメモリ（メインメモリおよびキャッシュメモリ）とを有するコンピュータであり、大容量ハードディスクを内蔵している。サーバ１０は、独立したオペレーティングシステム（ＯＳ）によって動作する論理的な物理コンピュータであるが、バーチャルコンピュータを使用することもできる。サーバ１０のメモリには、客動線作成システムを実行する客動線作成アプリケーションが格納されている。なお、客動線作成アプリケーションがクラウド１１や他のサーバ１２，１３（コンピュータ）に存在する場合もある。
【００３４】
サーバ１０には、キーボード１４やマウス１５等の入力装置（図示せず）、ディスプレイ１６やプリンタ（図示せず）等の出力装置がインターフェイス（無線または有線）を介して接続されている。サーバ１０には、図示はしていないが、セキュリティールーター（バーチャルセキュリティールーターを含む）およびファイアーフォール（バーチャルファイアーフォールを含む）が接続されている。
【００３５】
サーバ１０は、ホスト名とそのホスト名に割り当てるＩＰアドレスとの対応付けを設定するＤＮＳサーバ機能、ホームページを公開するために必要なＷｅｂサーバ機能、クラウド１１や他のサーバ１２，１３からの要求を受け付けて各種情報を読み書きする機能を提供するデータベースサーバ機能、電子メールの送受信用のメールサーバ機能、作成された文章や画像等のデータをすべて保存してそれらデータを検索可能にするドキュメントサーバ機能等の各種サーバ機能を有する。
【００３６】
サーバ１０は、インターネット１７に接続可能であり、インターネット１６を利用することで、クラウド１１や他のサーバ１２，１３にアクセスかつログインすることができる。サーバ１０のハードディスクには、住宅地図データや人口分布データ、販売店設置箇所データ、提供店設置箇所データ、自動販売機設置箇所データ、基地局設置箇所データが格納され、各種検索機能によってそれらデータのうちの必要なそれを検索することができる。なお、それらデータがクラウド１１や他のサーバ１２，１３に格納され、それらデータのうちの必要なそれをクラウド１１や他のサーバ１２，１３から取得することもできる。サーバ１０は、客動線作成システムによって作成された各種データをクラウド１１や他のサーバ１２，１３にインターネット１７を介して提供することができる。
【００３７】
サーバ１０は、オペレーティングシステム（ＯＳ）による制御に基づいて、メモリに格納された客動線作成アプリケーションまたはクラウド１１や他のサーバ１２，１３に格納された客動線作成アプリケーションを起動し、そのアプリケーションに従って以下の各手段を実行する。サーバ１０は、住宅地図データに目的地を中心とした第１〜第ｎ同心円を表示する第１〜第ｎ同心円表示手段を実行し、住宅地図データに表示された道路と第１〜第ｎ同心円との交点に第１〜第ｎ地点を表示する第１〜第ｎ地点表示手段を実行する。
【００３８】
サーバ１０は、第ｎ地点から第１地点に向かって目的地までの最短ルートを検索する最短ルート検索手段を実行し、目的地までの最短ルートを住宅地図データに表示する最短ルート表示手段を実行する。サーバ１０は、客動線を住宅地図データに表示する客動線表示手段を実行し、第ｎ同心円から目的地までを住居表示の町村単位または丁目単位の行政区画に区分する行政区画区分手段を実行する。
【００３９】
サーバ１０は、第ｎ地点〜第１地点から目的地までの歩行時間を算出する歩行時間算出手段を実行し、第ｎ地点〜第１地点から目的地までの歩行時間を表示する歩行時間表示手段を実行する。サーバ１０は、第ｎ地点〜第１地点から目的地までの歩行距離を算出する歩行距離算出手段を実行し、第ｎ地点〜第１地点から目的地までの歩行距離を表示する歩行距離表示手段を実行する。
【００４０】
サーバ１０は、人口数を検索する人口数検索手段を実行し、人口数を第ｎ地点から第１地点に向かって加算する人口数加算手段を実行する。サーバ１０は、第１〜第ｎ地点における通行量を表示する通行量表示手段を実行する。サーバ１０は、住宅地図データをハードディスクに格納する住宅地図データ格納手段を実行し、各種データをハードディスクに格納する各種データ格納手段を実行する。
【００４１】
サーバ１０は、第ｎ同心円から目的地までの間に存在する同一分野の商品を販売する複数の販売店または同一分野の役務を提供する複数の提供店を表示する店表示手段を実行し、第ｎ同心円から目的地までの間に存在する同一分野の商品の複数の自動販売機を表示する自動販売機表示手段を実行する。サーバ１０は、第ｎ同心円から目的地までの間に存在する複数の基地局を表示する基地局表示手段を実行する。
【００４２】
図２は、サーバ１０のディスプレイ１６に表示された初期画面の一例を示す図である。図２では、地図表示エリア２２に表示される住所表示、ビル名、マンション名、駅名、路線名、道路名、商店名、公共施設名等の各種複数の名称の図示を省略している。サーバ１０を起動すると、それに接続されたディスプレイ１６に客動線作成システムのアイコン（図示せず）が表示される。客動線作成システムのアイコンをクリックすると、ログイン画面（図示せず）がディスプレイ１６に表示される。ログイン画面には、ＩＤ入力エリアやパスワード入力エリア、ログインボタンが表示される。ＩＤ入力エリアにＩＤを入力し、パスワード入力エリアにパスワードを入力した後、ログインボタンをクリックする。
【００４３】
ログインボタンをクリックすると、図２に示す初期画面がディスプレイ１６に表示される。初期画面には、地図検索エリア１８、店検索エリア１９、自販機（自動販売機）検索エリア２０、基地局検索エリア２１、地図表示エリア２２、データ表示ボタン２３、閉じるボタン２４が表示される。なお、地図表示エリア２２には、図示はしていないが、住所表示、ビル名、駅名、路線名、道路名、商店名等の各種複数の名称が表示される。地図表示エリア２２では、エリア２２に表示された地図から所定区域（例えば、関東地方や東京都、千葉県等）の住宅地図データを検索することができる。閉じるボタン２４をクリックすると、サーバ１０がこのシステムからログアウトする。
【００４４】
地図検索エリア１８には、日本地図検索ボタン１８ａ、住所検索ボタン１８ｂ、駅・路線図検索ボタン１８ｃ、目的地名検索ボタン１８ｄが表示される。日本地図検索ボタン１８ａをクリックすることで、日本地図が表示され、日本地図に基づいて所定区域（例えば、関東地方や東京都、千葉県等）の住宅地図データを検索することができる。また、インターネット１７を利用してクラウド１１や他のサーバ１２，１３にログインし、クラウド１１やサーバ１２，１３に格納された日本地図データを利用して所定区域の住宅地図データをクラウド１１やサーバ１２，１３から取得することができる。
【００４５】
住所検索ボタン１８ｂをクリックすることで、住所入力エリアが表示され、住所入力エリアに所定の住所を入力することで、その住所に対応する所定区域の住宅地図データを検索することができる。また、インターネット１７を利用してクラウド１１やサーバ１２，１３にログインし、クラウド１１やサーバ１２，１３に格納された住所データを利用し、住所検索画面において所定の住所を入力することで、その住所に対応する所定区域の住宅地図データをクラウド１１やサーバ１２，１３から取得することができる。
【００４６】
駅・路線図検索ボタン１８ｃをクリックすることで、駅入力エリアや路線入力エリアが表示され、駅入力エリアや路線入力エリアに所定の駅名または路線名を入力することで、その駅名やその路線名に対応する所定区域の住宅地図データを検索することができる。また、インターネット１７を利用してクラウド１１やサーバ１２，１３にログインし、クラウド１１やサーバ１２，１３に格納された駅・路線データを利用し、駅名検索画面や路線名検索画面において所定の駅名または路線名を入力することで、その駅名やその路線名に対応する所定区域の住宅地図データをクラウド１１やサーバ１２，１３から取得することができる。
【００４７】
目的地名検索ボタン１８ｄをクリックすることで、目的地名入力エリアが表示され、目的地名入力エリアに所定の目的地名を入力することで、その目的地名に対応する所定区域の住宅地図データを検索することができる。また、インターネット１７を利用してクラウド１１やサーバ１２，１３にログインし、クラウド１１やサーバ１２，１３に格納された目的地名データを利用し、目的地名検索画面において所定の目的地名を入力することで、その目的地名に対応する所定区域の住宅地図データをクラウド１１やサーバ１２，１３から取得することができる。目的地名には、ビル名、マンション名、駅名、路線名、道路名、商店名（量販店名、デパート名、ストア名等）、公共施設名等がある。
【００４８】
店検索エリア１９には、店名検索ボタン１９ａ、店住所検索ボタン１９ｂ、商品・サービス検索ボタン１９ｃが表示される。店名検索ボタン１９ａをクリックすることで、店名入力エリアが表示され、店名入力エリアに所定の店名を入力することで、住宅地図データ内に存在するその店名の商品の販売店や役務の提供店を住宅地図データに表示させることができる。また、インターネット１７を利用してクラウド１１やサーバ１２，１３にログインし、クラウド１１やサーバ１２，１３の店名データを利用し、店名検索画面において所定の店名を入力することで、その店名の商品の販売店や役務の提供店をクラウド１１やサーバ１２，１３から取得し、住宅地図データ内に存在するその店名の商品の販売店や役務の提供店を住宅地図データに表示させることができる。
【００４９】
店住所検索ボタン１９ｂをクリックすることで、店住所入力エリアが表示され、店住所入力エリアに所定の住所を入力することで、住宅地図データ内に存在するその店住所の商品の販売店（その販売店と同じ種類の商品を販売する販売店を含む）やその店住所の役務の提供店（その提供店と同じ種類の役務を提供する提供店を含む）を住宅地図データに表示させることができる。また、インターネット１７を利用してクラウド１１やサーバ１２，１３にログインし、クラウド１１やサーバ１２，１３の店住所データを利用し、店住所検索画面において所定の店住所を入力することで、その店住所の商品の販売店や役務の提供店をクラウド１１やサーバ１２，１３から取得し、住宅地図データ内に存在するその店住所の販売店（その販売店と同じ種類の商品を販売する販売店を含む）や役務の提供店（その提供店と同じ種類の役務を提供する提供店を含む）を住宅地図データに表示させることができる。
【００５０】
商品・サービス検索ボタン１９ｃをクリックすることで、商品名入力エリア、サービス名入力エリアが表示され、商品名入力エリアに所定の商品名を入力し、または、サービス名入力エリアに所定のサービス名を入力することで、住宅地図データ内に存在してその商品名の商品を販売する販売店やサービス名のサービス（役務）を提供する提供店を住宅地図データに表示させることができる。また、インターネット１７を利用してクラウド１１やサーバ１２，１３にログインし、クラウド１１やサーバ１２，１３の商品・サービスデータを利用し、商品・サービス検索画面において所定の商品名やサービス名を入力することで、その商品名の商品を販売する販売店やサービス名のサービス（役務）を提供する提供店をクラウド１１やサーバ１２，１３から取得し、住宅地図データ内に存在してその商品名の商品を販売する販売店やそのサービス名のサービス（役務）を提供する提供店を住宅地図データに表示させることができる。
【００５１】
自販機検索エリア２０には、提供メーカー検索ボタン２０ａ、自販機商品名検索ボタン２０ｂ、自販機設置住所検索ボタン２０ｃが表示される。提供メーカー検索ボタン２０ａをクリックすることで、提供メーカー名入力エリアが表示され、提供メーカー名入力エリアに所定の提供メーカー名を入力することで、住宅地図データ内に存在してそのメーカーが提供する商品の自動販売機を住宅地図データに表示させることができる。また、インターネット１７を利用してクラウド１１やサーバ１２，１３にログインし、クラウド１１やサーバ１２，１３の提供メーカーデータを利用し、住宅地図データ内に存在してそのメーカーが提供する商品の自動販売機を住宅地図データに表示させることができる。
【００５２】
自販機商品名検索ボタン２０ｂをクリックすることで、自販機商品名入力エリアが表示され、自販機商品名入力エリアに所定の自販機商品名を入力することで、住宅地図データ内に存在してその自販機商品名の商品を提供する自動販売機を住宅地図データに表示させることができる。また、インターネット１７を利用してクラウド１１やサーバ１２，１３にログインし、クラウド１１やサーバ１２，１３の自販機商品データを利用し、自販機商品名検索画面において所定の自販機商品名を入力することで、自販機商品名の商品を提供する自動販売機をクラウド１１やサーバ１２，１３から取得し、住宅地図データ内に存在してその自販機商品名の商品を提供する自動販売機を住宅地図データに表示させることができる。
【００５３】
自販機住所検索ボタン２０ｃをクリックすることで、自販機設置住所入力エリアが表示され、自販機設置住所入力エリアに所定の住所を入力することで、住宅地図データ内に存在してその自販機住所に対応する自動販売機（その自販機と同じ種類の商品を提供する自販機を含む）を住宅地図データに表示させることができる。また、インターネット１７を利用してクラウド１１やサーバ１２，１３にログインし、クラウド１１やサーバ１２，１３の自販機住所データを利用し、自販機設置住所検索画面において所定の自販機住所を入力することで、その自販機住所に対応する自動販売機をクラウド１１やサーバ１２，１３から取得し、住宅地図データ内に存在してその自販機住所に対応する自動販売機（その自販機と同じ種類の商品を提供する自販機を含む）を住宅地図データに表示させることができる。
【００５４】
基地局検索エリア２１には、基地局キャリア名検索ボタン２１ａ、基地局住所検索ボタン２１ｂが表示される。基地局キャリア名検索ボタン２１ａをクリックすることで、基地局キャリア名入力エリアが表示され、基地局キャリア名入力エリアに所定のキャリア名を入力することで、住宅地図データ内に存在してそのキャリア名のキャリアが設置した各基地局を住宅地図データに表示させることができる。また、インターネット１７を利用してクラウド１１やサーバ１２，１３にログインし、クラウド１１やサーバ１２，１３の基地局キャリアデータを利用し、基地局キャリア検索画面において所定の基地局キャリア名を入力することで、そのキャリア名のキャリアが設置した各基地局をクラウド１１やサーバ１２，１３から取得し、住宅地図データ内に存在してそのキャリア名のキャリアが設置した各基地局を住宅地図データに表示させることができる。
【００５５】
基地局住所検索ボタン２１ｂをクリックすることで、基地局設置住所入力エリアが表示され、基地局設置住所入力エリアに所定の基地局設置住所を入力することで、住宅地図データ内に存在してその基地局住所に設置された基地局（その基地局と同じキャリアが設置した基地局を含む）を住宅地図データに表示させることができる。また、インターネット１７を利用してクラウド１１やサーバ１２，１３にログインし、クラウド１１やサーバ１２，１３の基地局設置住所データを利用し、基地局設置住所検索画面において所定の基地局設置住所を入力することで、その基地局住所に対応する基地局をクラウド１１やサーバ１２，１３から取得し、住宅地図データ内に存在してその基地局住所に対応する基地局（その基地局と同じキャリアが設置した基地局を含む）を住宅地図データに表示させることができる。
【００５６】
図３は、ディスプレイ１６に表示された住宅地図データ表示画面の一例を示す図であり、図４は、ディスプレイ１６に表示された同心円表示画面の一例を示す図である。図５は、ディスプレイ１６に表示された客動線表示画面の一例を示す図である。図３〜５では、各表示エリアに表示されるデータの図示を省略し、住宅地図データ表示エリア２７ａ〜２７ｃに表示される住所表示、ビル名、マンション名、駅名、路線名、道路名、商店名、公共施設名等の各種複数の名称の図示を省略している。なお、図３では、地図検索エリア１８において住所検索が行われ、地下鉄の駅（目的地Ａ）が検索されたものとする。
【００５７】
図２の初期画面において、住所検索ボタン１８ｂをクリックした後、住所入力エリアに所定の住所を入力し、検索ボタンをクリックすることで、その住所に対応する所定区域の住宅地図データが検索される。住宅地図データが検索されると、図示はしていないが、その住宅地図データを表示した目的地入力画面がディスプレイ１６に表示される。目的地入力画面には、住宅地図データ表示エリア、目的地住所入力エリア、目的地名称入力エリア、行政区画指定入力エリア、決定ボタン、クリアボタン、戻るボタン、閉じるボタンが表示される。クリアボタンをクリックすると、各入力エリアに入力されたデータがクリアされ、再度それら入力エリアへデータを入力する。戻るボタンをクリックすると、１つ前の画面（図２の初期画面）に戻る。
【００５８】
目的地入力画面において目的地（地下鉄の駅）を特定するには、マウス１５を使用して住宅地図データ表示エリアの所定の箇所に目的地マークを入れる場合、目的地住所入力エリアに目的地住所を入力して設定ボタンをクリックする場合、目的地名称入力エリアに目的地名称を入力して設定ボタンをクリックする場合、目的地住所入力エリアに目的地住所を入力するとともに目的地名称入力エリアに目的地名称を入力して設定ボタンをクリックする場合がある。なお、目的地入力画面では、マウス１５を使用して住宅地図データ表示エリアの所定の箇所に目的地マークを入れ、地下鉄の駅が特定され、決定ボタンがクリックされたものとする。
【００５９】
決定ボタンがクリックされて目的地（地下鉄の駅）が確定すると、住宅地図データを表示した図３の住宅地図データ表示画面がディスプレイ１６に表示される。図３の住宅地図データ表示画面には、図２の初期画面と同様に地図検索エリア１８、店検索エリア１９、自販機検索エリア２０、基地局検索エリア２１が表示される他、目的地住所表示エリア２５、目的地名称表示エリア２６、住宅地図データ表示エリア２７ａが表示され、同心円設定ボタン２８、戻るボタン２９、閉じるボタン２４が表示される。
【００６０】
検索住所表示エリア２５には、目的地入力画面の目的地住所入力エリアに入力された目的地住所が表示され、目的地名称表示エリア２６には、検索住所表示エリア２５の住所に存在する目的地の名称（地下鉄の駅名）が表示される。なお、目的地の名称には、ビル名、マンション名、路線名、道路名、商店名（量販店名、デパート名、ストア名等）、公共施設名等がある。
【００６１】
図３の住宅地図データ表示画面の住宅地図データ表示エリア２７ａには、目的地Ａを含む所定の区域が表示されるとともに、確定した目的地Ａの場所（所在箇所）を示すマークが表示される。図３では、確定した目的地Ａを示すマークが黒点で示されているが、黒点の他に、□や○、☆等の他のあらゆるマークで目的地Ａを表すことができる。
【００６２】
次に、図３の住宅地図データ表示画面において同心円設定ボタン２８をクリックする。同心円設定ボタン２８をクリックすると、図示はしていないが、歩行時間・歩行距離・同心円数入力画面がディスプレイ１６に表示される。歩行時間・歩行距離・同心円数入力画面には、目的地Ａからの歩行時間を入力する歩行時間入力エリア、目的地Ａからの歩行距離を入力する歩行距離入力エリア、同心円の数を入力する同心円数入力エリア、決定ボタン、クリアボタン、戻るボタン、閉じるボタンが表示される。クリアボタンをクリックすると、歩行距離入力エリアや歩行時間入力エリア、同心円数入力エリアに入力された数値がクリアされ、再度それら入力エリアへ数値を入力する。
【００６３】
歩行距離入力エリアに歩行距離（例えば、１５００ｍ）を入力し、歩行時間入力エリアに歩行時間（例えば、２０分）を入力するとともに、同心円数入力エリアに同心円数（例えば、６本）を入力した後、決定ボタンをクリックする。決定ボタンをクリックすると、サーバ１０は、住宅地図データ表示エリア２７ａの任意に選択した目的地Ａを中心とした複数の第１〜第６同心円Ｂ１〜Ｂ６（第１〜第ｎ同心円）を表示する（第１〜第ｎ同心円表示手段）。さらに、住宅地図データ２７ｂに表示された道路と第１〜第６同心円Ｂ１〜Ｂ６との交点に第１〜第６地点（１）〜（６）（第１〜第ｎ地点）を表示する（第１〜第ｎ地点表示手段）。
【００６４】
ディスプレイ１６には、図４に示す同心円表示画面が表示される。図４の同心円表示画面には、図３の住宅地図データ表示画面と同様に地図検索エリア１８、店検索エリア１９、自販機検索エリア２０、基地局検索エリア２１、目的地住所表示エリア２５、目的地名称表示エリア２６、住宅地図データ表示エリア２７ｂ、戻るボタン２９、閉じるボタン２４が表示される他、最短ルート検索ボタン３０、印刷ボタン３１が表示される。印刷ボタン３１をクリックすると、住宅地図データ表示エリア２７ｂに表示された住宅地図データがプリントされる。
【００６５】
住宅地図データ表示エリア２７ｂには、中心（目的地Ａ）から直近に第１同心円Ｂ１が表示されるとともに、目的地Ａを中心として所定の区域において目的地Ａを中心に目的地Ａから径方向外方へ向かって第１同心円Ｂ１から径方向外方に向かって径方向の離間寸法が同一の複数の第２〜第６同心円Ｂ２〜Ｂ６（第２〜第ｎ同心円）が表示される。なお、図４では、６本の同心円Ｂ１〜Ｂ６が表示されているが、同心円の数に特に制限はなく、５本以下または７本以上の同心円が表示される場合もある。
【００６６】
住宅地図データ表示エリア２７ｂに表示された第６同心円（Ｂ６）と道路との交点には、（６）が表示され、第５同心円（Ｂ５）と道路との交点には、（５）が表示されているとともに、第４同心円（Ｂ４）と道路との交点には、（４）が表示されている。第３同心円（Ｂ３）と道路との交点には、（３）が表示され、第２同心円（Ｂ２）と道路との交点には、（２）が表示されているとともに、第１同心円（Ｂ１）と道路との交点には、（１）が表示されている。
【００６７】
図４の同心円表示画面において最短ルート検索ボタン３０をクリックする。最短ルート検索ボタン３０をクリックすると、サーバ１０は、第６地点（６）（第ｎ地点）から目的地Ａまでの徒歩による道路の最短ルートを検索した後、第６地点（６）（第ｎ地点）の１つ内側の同心円Ｂ５の第５地点（５）（第ｎ−１地点）から目的地Ａまでの徒歩による道路の最短ルートを検索するように、第６地点（６）（第ｎ地点）から第１地点（１）に向かって順次最短ルートを検索する（最短ルート検索手段）。
【００６８】
次に、サーバ１０は、最短ルート検索手段によって検索した第６〜第１地点（第ｎ〜第１地点）から目的地Ａまでの最短ルートを住宅地図データに表示し（最短ルート表示手段）、第１〜第６同心円（１）〜（６）（第１〜第ｎ同心円）を消去しつつ、最短ルート表示手段によって表示された第６地点（６）（第ｎ地点）から第１地点（１）を通る目的地Ａまでの道路の最短ルートを客動線として住宅地図データに表示する（客動線表示手段）。ディスプレイ１６には、図５に示す客動線表示画面が表示される。さらに、サーバ１０は、最短ルートが通る第６地点（６）〜第１地点（１）から目的地Ａまでの歩行時間を算出し（歩行時間算出手段）、最短ルートが通る第６地点（６）〜第１地点（１）から目的地Ａまでの歩行距離を算出する（歩行距離算出手段）。
【００６９】
サーバ１０は、第１〜第６地点（１）〜（６）（第１〜第ｎ地点）が位置する住居表示の丁目単位、丁目−番単位、丁目−番−号単位のいずれかの人口数を検索する（人口数検索手段）。サーバ１０は、各地方自治体の町丁別世帯数および人口表、各地方自治体の町丁別年齢別人口表を参照しつつ、人口数を検索する。サーバ１０は、検索した人口数を客動線Ｃ１〜Ｃ１４が通る第６地点（６）（第ｎ地点）から第１地点（１）に向かって順次加算する（人口数加算手段）。
【００７０】
人口数加算手段では、第６地点の人口数に第５地点の人口数を加算し、第６地点および第５地点の人口数に第４地点の人口数を加算し、第６地点〜第４地点の人口数に第３地点の人口数を加算するとともに、第６地点〜第３地点の人口数に第２地点の人口数を加算し、第６地点〜第２地点の人口数に第１地点の人口数を加算する。
【００７１】
サーバ１０は、第１〜第６地点（１）〜（６）（第１〜第ｎ地点）が位置する住居表示の丁目単位、丁目−番単位、丁目−番−号単位のいずれかの人口数を性別毎に区分して検索する（人口数検索手段）。サーバ１０は、検索した性別毎の人口数を客動線Ｃ１〜Ｃ１４が通る第６地点（６）（第ｎ地点）から第１地点（１）に向かって順次加算する（人口数加算手段）。サーバ１０は、第１〜第６地点（１）〜（６）（第１〜第ｎ地点）が位置する住居表示の丁目単位、丁目−番単位、丁目−番−号単位のいずれかの人口数を年齢別または年齢層に区分して検索する（人口数検索手段）。サーバ１０は、検索した年齢別または年齢層の人口数を客動線Ｃ１〜Ｃ１４が通る第６地点（６）（第ｎ地点）から第１地点（１）に向かって順次加算する（人口数加算手段）。
【００７２】
なお、最短ルート検索手段では、第６地点（６）（第ｎ地点）から目的地Ａまでの最短ルートを検索した後に、第６地点からの最短ルートがその１つ内側の特定の第５地点（５）（第ｎ−１地点）から特定の第１地点（１）を通っている場合、最短ルートが通る特定の第５地点（５）（第ｎ−１地点）〜第１地点（１）から目的地Ａまでの最短ルートが既に確定しているから、最短ルートが通る特定の第５地点（５）（第ｎ−１地点）〜第１地点（１）から目的地Ａまでの最短ルートの検索は行わない。
【００７３】
図５の客動線表示画面には、図４の同心円表示画面と同様に地図検索エリア１８、店検索エリア１９、自販機検索エリア２０、基地局検索エリア２１、目的地住所表示エリア２５、目的地名称表示エリア２６、住宅地図データ表示エリア２７ｃ、印刷ボタン３１、戻るボタン２９、閉じるボタン２４が表示される他、歩行時間ボタン３２、歩行距離ボタン３３、通行量ボタン３４が表示される。印刷ボタン３１をクリックすると、住宅地図データ表示エリア２７ｃに表示された住宅地図データがプリントされる。住宅地図データ表示エリア２７ｃには、第６地点（６）〜中心（目的地Ａ）までの複数の客動線Ｃ１〜Ｃ１４が表示されている。
【００７４】
ディスプレイ１６に表示されたメニューバーのファイルボタン（図示せず）をクリックした後、ファイルの保存をクリックすると、サーバ１０は、住宅地図データ表示エリア２７ｂ，２７ｃに表示された住宅地図データをファイル名および作成日時に関連付けた状態でハードディスクに格納する（住宅地図データ格納手段）。
【００７５】
サーバ１０は、住宅地図データに加え、目的地住所表示エリア２５に表示された目的地住所、目的地名称表示エリア２６に表示された目的地名称、目的地Ａ、第１〜第６同心円（Ｂ１）〜（Ｂ６）、第１〜第６地点（１）〜（６）、客動線Ｃ１〜Ｃ１４（最短ルート）、各地点から目的地Ａまでの歩行時間、各地点から目的地Ａまでの歩行距離、検索した住居表示の丁目単位、丁目−番単位、丁目−番−号単位のいずれかの人口数、第６地点（６）（第ｎ地点）〜第１地点（１）における人口数、検索した住居表示の丁目単位、丁目−番単位、丁目−番−号単位のいずれかの性別毎に区分した人口数、第６地点（６）（第ｎ地点）〜第１地点（１）における性別毎の人口数、検索した住居表示の丁目単位、丁目−番単位、丁目−番−号単位のいずれかの年齢別または年齢層に区分した人口数、第６地点（６）（第ｎ地点）〜第１地点（１）における年齢別または年齢層の人口数をファイル名および作成日時に関連付けた状態でハードディスクに格納する（各種データ格納手段）。
【００７６】
なお、図２の初期画面のデータ表示ボタン２３をクリックすると、図示はしていないが、ファイル表示画面がディスプレイ１６に表示される。ファイル表示画面には、ファイル名一覧を表示したファイル名表示エリア、開くボタン、戻るボタン、閉じるボタンが表示される。ファイル名表示エリアにおいて所定のファイルを指定（反転）（複数指定可）し、開くボタンをクリックすると、指定したファイル名の住宅地図データ（目的地住所表示エリア２５に表示された目的地住所、目的地名称表示エリア２６に表示された目的地名称、目的地Ａ、第１〜第６同心円（Ｂ１）〜（Ｂ６）、第１〜第６地点（１）〜（６）、客動線Ｃ１〜Ｃ１４（最短ルート）を含む）が作成日時とともにディスプレイ１６に表示される。
【００７７】
客動線作成システムは、住宅地図データ２７ｂに表示された道路と第１〜第６同心円（１）〜（６）（第１〜第ｎ同心円）との交点に表示された第６地点（６）（第ｎ地点）から第１地点（１）に向かって順次最短ルートを検索かつ表示し、第６地点（６）から第１地点（１）を通る目的地Ａ（地下鉄の駅）までの道路の最短ルートを客動線Ｃ１〜Ｃ１４として住宅地図データ２７ｃに表示するから、物品の移動を条件とせず、住宅地図データ２７ｃを利用することで所定の地点から目的地Ａまでの客動線Ｃ１〜Ｃ１４を容易に作成することができる。
【００７８】
客動線作成システムは、従来技術に示すように、各物品に無線タグを取り付ける必要はなく、物品の移動を長時間監視する必要もないから、客動線Ｃ１〜Ｃ１４の作成に手間やコスト、時間がかからず、所定の地点から目的地Ａまでの客動線Ｃ１〜Ｃ１４を廉価かつ迅速に作成することができる。客動線作成システムは、人が徒歩で所定の地点から目的地Ａ（地下鉄の駅）に向かう場合に目的地Ａまでの最短ルートを通るという人の習性を利用するから、所定の地点から目的地Ａまでの正確な客動線を導出することができる。
【００７９】
客動線作成システムは、第６地点（６）（第ｎ地点）から目的地Ａまでの最短ルートを検索した後に、第６地点からの最短ルートがその１つ内側の特定の第５地点（５）（第ｎ−１地点）から特定の第１地点（１）を通っている場合、最短ルートが通る特定の第５地点（５）（第ｎ−１地点）〜第１地点（１）から目的地Ａまでの最短ルートの検索は行わないから、特定の第５地点（５）〜特定の第１地点（１）から目的地Ａまでの最短ルートを検索する必要はなく、最短ルート検索の手間を省くことができ、客動線Ｃ１〜Ｃ１４を迅速に作成することができる。
【００８０】
図６は、ディスプレイ１６に表示された客動線・歩行時間・歩行距離表示画面の一例を示す図である。図６の客動線・歩行時間・歩行距離表示画面の住宅地図データ表示エリア２７ｃには、各地点から目的地Ａまでの歩行時間および歩行距離が表示されている。なお、図６では、各表示エリアに表示されるデータの図示を省略し、住宅地図データ表示エリアに表示される住所表示、ビル名、マンション名、駅名、路線名、道路名、商店名、公共施設名等の各種複数の名称の図示を省略している。
【００８１】
図５の客動線表示画面の歩行時間ボタン３２および歩行距離ボタン３３をクリックした後、住宅地図データ表示エリア２７ｂに表示されたいずれかの地点にカーソルを移動させ、所定の地点をクリックすると、サーバ１０は、歩行時間算出手段によって算出した歩行時間を客動線Ｃ１〜Ｃ１４が通る第１〜第６地点（１）〜（６）（第１〜第ｎ地点）に表示し（歩行時間表示手段）、歩行距離算出手段によって算出した歩行距離を客動線Ｃ１〜Ｃ１４が通る第１〜第６地点（１）〜（６）（第１〜第ｎ地点）に表示する（歩行距離表示手段）。ディスプレイ１６には、図６に示す客動線・歩行時間・歩行距離表示画面が表示される。
【００８２】
図６の客動線・歩行時間・歩行距離表示画面の住宅地図データ表示エリア２７ｃには、図５の客動線表示画面に表示された各項目に加え、客動線Ｃ４の第３地点（３）および第２地点（２）における目的地Ａ（地下鉄の駅）までの歩行時間（１０分，７分）が表示され、客動線Ｃ１２の第５地点（５）および第４地点（４）における目的地Ａ（地下鉄の駅）までの歩行距離（１３５０ｍ，１０５０ｍ）が表示される。
【００８３】
なお、歩行時間ボタン３２のみをクリックすることで、住宅地図データ表示エリア２７ｃに各地点から目的地Ａまでの歩行時間のみを表示させることができ、歩行距離ボタン３３のみをクリックすることで、住宅地図データ表示エリア２７ｃに各地点から目的地Ａまでの歩行距離のみを表示させることができる。また、図６の客動線・歩行時間・歩行距離表示画面の住宅地図データ表示エリア２７ｃには、後記する各地点の通行量、後記する販売店および提供店、後記する自動販売機、後記する基地局を表示させることもできる。
【００８４】
客動線作成システムは、所定の地点から目的地Ａまでの最短ルート（客動線Ｃ１〜Ｃ１４）における歩行時間が表示されることで、その最短ルートの信憑性を確認することができるとともに、所定の地点から目的地Ａまでの徒歩による所要時間を把握することができる。客動線作成システムは、表示された歩行時間が人の歩行時間の限界を超えている場合に外側から同心円の数を減らすことで、所定の地点から目的地Ａまでの歩行時間を減らすことができ、常識的な人の歩行時間に合致させた客動線Ｃ１〜Ｃ１４を作成することができる。
【００８５】
客動線作成システムは、所定の地点から目的地までの最短ルート（客動線Ｃ１〜Ｃ１４）における歩行距離が表示されることで、その最短ルートの信憑性を確認することができるとともに、所定の地点から目的地Ａまでの徒歩による距離を把握することができる。客動線作成システムは、表示された歩行距離が人の歩行距離の限界を超えている場合に外側から同心円の数を減らすことで、所定の地点から目的地Ａまでの歩行距離を減らすことができ、常識的な人の歩行距離に合致させた客動線（客動線Ｃ１〜Ｃ１４）を作成することができる。
【００８６】
図７は、ディスプレイ１６に表示された客動線・通行量表示画面の一例を示す図である。図７の客動線・通行量表示画面の住宅地図データ表示エリア２７ｃには、各地点における通行量（人口数）が表示されている。なお、図７では、各表示エリアに表示されるデータの図示を省略し、住宅地図データ表示エリアに表示される住所表示、ビル名、マンション名、駅名、路線名、道路名、商店名、公共施設名等の各種複数の名称の図示を省略している。
【００８７】
図５の客動線表示画面の通行量ボタン３４をクリックした後、住宅地図データ表示エリア２７ｂに表示されたいずれかの地点にカーソルを移動させ、所定の地点をクリックすると、図示はしていないが、条件入力画面がディスプレイ１６に表示される。条件入力画面には、性別入力エリア、年齢入力エリア、年齢層入力エリア、決定ボタン、クリアボタン、戻るボタン、閉じるボタンが表示される。
【００８８】
それら入力エリアに入力せず、決定ボタンをクリックすると、サーバ１０は、人口数加算手段によって加算した人口数を客動線Ｃ１〜Ｃ１４が通る第１〜第６地点（１）〜（６）（第１〜第ｎ地点）における通行量としてそれら地点（１）〜（６）に表示する（通行量表示手段）。ディスプレイ１６には、図７に示す客動線・通行量表示画面が表示される。
【００８９】
図７の客動線・通行量表示画面の住宅地図データ表示エリア２７ｃには、図５の客動線表示画面に表示された各項目に加え、客動線Ｃ５が通る第３地点（３）および第２地点（２）における通行量（例えば、２１０人、２８０人）が表示され、客動線Ｃ１２の第５地点（５）および第４地点（４）における通行量（例えば、６０人、１２０人）が表示される。
【００９０】
なお、条件入力画面の性別入力エリアに性別（男女の別）を入力することで、人口数加算手段によって加算した性別毎の人口数を客動線Ｃ１〜Ｃ１４が通る第１〜第６地点（１）〜（６）（第１〜第ｎ地点）における通行量としてそれら地点（１）〜（６）に表示することもできる。年齢入力エリアに年齢を入力することで、人口数加算手段によって加算した年齢別の人口数を客動線Ｃ１〜Ｃ１４が通る第１〜第６地点（１）〜（６）（第１〜第ｎ地点）における通行量としてそれら地点（１）〜（６）に表示することもできる。年齢層入力エリアに年齢層を入力することで、人口数加算手段によって加算した年齢層毎の人口数を客動線Ｃ１〜Ｃ１４が通る第１〜第６地点（１）〜（６）（第１〜第ｎ地点）における通行量としてそれら地点（１）〜（６）に表示することもできる。また、図７の客動線・通行量表示画面の住宅地図データ表示エリア２７ｃには、各地点から目的地Ａまでの歩行時間および歩行距離、販売店および提供店、自動販売機、基地局を表示させることもできる。
【００９１】
客動線作成システムは、客動線Ｃ１〜Ｃ１４を通る人の人数（性別毎の人口数、年齢別人口数、年齢層毎の人口数を含む）を客動線Ｃ１〜Ｃ１４が通る各地点（１）〜（６）毎に表示するから、各地点（１）〜（６）毎の通行量を把握することができ、複数の客動線Ｃ１〜Ｃ１４のうち、通行量の多少を確認することができる。客動線作成システムは、それら客動線Ｃ１〜Ｃ１４における通行量を表示することができるから、客動線Ｃ１〜Ｃ１４や通行量を利用し、通行量が多く宣伝効果が高い客動線Ｃ１〜Ｃ１４上の所定の箇所を選定することができる。
【００９２】
図８は、ディスプレイ１６に表示された住宅地図データ表示画面の他の一例を示す図であり、図９は、ディスプレイ１６に表示された同心円表示画面の他の一例を示す図である。図１０は、ディスプレイ１６に表示された客動線表示画面の他の一例を示す図である。図８〜１０では、各表示エリアに表示されるデータの図示を省略し、住宅地図データ表示エリア２７ａ〜２７ｃに表示される住所表示、ビル名、マンション名、駅名、路線名、道路名、商店名、公共施設名等の各種複数の名称の図示を省略している。なお、図８では、地図検索エリア１８において住所検索が行われ、地下鉄の駅（目的地Ａ）が検索されるとともに、第６同心円（Ｂ６）から目的地Ａまでを住居表示の町村単位の行政区画に区分されたものとする。
【００９３】
図２の初期画面において、住所検索ボタン１８ｂをクリックした後、住所入力エリアに所定の住所を入力し、検索ボタンをクリックすることで、その住所に対応する所定区域の住宅地図データが検索され、ディスプレイ１６にその住宅地図データを表示した目的地入力画面（図示せず）が表示される。目的地入力画面には、住宅地図データ表示エリア、目的地住所入力エリア、目的地名称入力エリア、行政区画指定入力エリア、決定ボタン、クリアボタン、戻るボタン、閉じるボタンが表示される。
【００９４】
目的地入力画面では、マウス１５を使用して住宅地図データ表示エリアの所定の箇所に目的地マークを入れ、地下鉄の駅が特定され、さらに、行政区画指定入力エリアに所定の町村単位が入力され、決定ボタンがクリックされたものとする。決定ボタンがクリックされて目的地（地下鉄の駅）が確定するとともに、行政区画が指定されると、サーバ１０は、最も外側に位置する第６同心円Ｂ６から目的地Ａまでを住居表示の町村単位の行政区画に区分する（行政区画区分手段）。なお、行政区画指定入力エリアに所定の丁目単位が入力されると、第６同心円Ｂ６から目的地Ａまでを住居表示の丁目単位の行政区画に区分する（行政区画区分手段）。
【００９５】
ディスプレイ１６には、町村単位の行政区画に区分された目的地Ａを含む所定の区域を表示した図８の住宅地図データ表示画面が表示される。図８の住宅地図データ表示画面では、町村単位の目的地Ａを含む区域が住宅地図データ表示エリア２７ａに実線で表示され、その他の区域が住宅地図データ表示エリア２７ａに点線で表示される。
【００９６】
次に、図３の住宅地図データ表示画面において同心円設定ボタン２８をクリックし、歩行時間・歩行距離・同心円数入力画面（図示せず）をディスプレイ１６に表示させた後、歩行距離入力エリアに歩行距離を入力し、歩行時間入力エリアに歩行時間を入力するとともに、同心円数入力エリアに同心円数を入力した後、決定ボタンをクリックする。
【００９７】
決定ボタンをクリックすると、サーバ１０は、住宅地図データ表示エリア２７ａの任意に選択した目的地Ａを中心とした複数の第１〜第６同心円Ｂ１〜Ｂ６（第１〜第ｎ同心円）を表示する（第１〜第ｎ同心円表示手段）。さらに、住宅地図データ２７ｂに表示された道路と第１〜第６同心円Ｂ１〜Ｂ６との交点に第１〜第６地点（１）〜（６）（第１〜第ｎ地点）を表示する（第１〜第ｎ地点表示手段）。ディスプレイ１６には、図９に示す同心円表示画面が表示される。図９の同心円表示画面において最短ルート検索ボタン３０をクリックすると、サーバ１０は、第６地点（６）（第ｎ地点）から第１地点（１）に向かって順次最短ルートを検索する（最短ルート検索手段）。
【００９８】
サーバ１０は、最短ルート検索手段によって検索した第６〜第１地点（第ｎ〜第１地点）から目的地Ａまでの最短ルートを行政区画区分手段によって区分された町村単位で住宅地図データに表示し（最短ルート表示手段）、第１〜第６同心円（１）〜（６）（第１〜第ｎ同心円）を消去しつつ、最短ルート表示手段によって表示された第６地点（６）（第ｎ地点）から第１地点（１）を通る目的地Ａまでの道路の最短ルートを客動線Ｃ１，Ｃ２，Ｃ１３，Ｃ１４（行政区画区分手段によって区分された町村単位の客動線Ｃ１，Ｃ２，Ｃ１３，Ｃ１４）として住宅地図データに表示する（客動線表示手段）。ディスプレイ１６には、図１０に示す客動線表示画面が表示される。さらに、サーバ１０は、最短ルートが通る第６地点（６）〜第１地点（１）から目的地Ａまでの歩行時間を算出し（歩行時間算出手段）、最短ルートが通る第６地点（６）〜第１地点（１）から目的地Ａまでの歩行距離を算出する（歩行距離算出手段）。
【００９９】
サーバ１０は、第１〜第６地点（１）〜（６）（第１〜第ｎ地点）が位置する住居表示の丁目単位、丁目−番単位、丁目−番−号単位のいずれかの人口数（性別毎の人口数、年齢別の人口数、年齢層毎の人口数を含む）を検索する（人口数検索手段）。サーバ１０は、各地方自治体の町丁別世帯数および人口表、各地方自治体の町丁別年齢別人口表を参照しつつ、人口数を検索する。サーバ１０は、検索した人口数を客動線Ｃ１〜Ｃ１４が通る第６地点（６）（第ｎ地点）から第１地点（１）に向かって順次加算する（人口数加算手段）。
【０１００】
図１０の客動線表示画面の住宅地図データ表示エリア２７ｃには、第６地点（６）〜中心（目的地Ａ）までの客動線Ｃ１，Ｃ２，Ｃ１３，Ｃ１４が表示されている。なお、図１０の客動線表示画面の住宅地図データ表示エリア２７ｃに、各地点から目的地Ａまでの歩行時間および歩行距離、通行量（人口数）（性別毎の通行量（人口数）、年齢別の通行量（人口数）、年齢層毎の通行量（人口数）を含む）、販売店および提供店、自動販売機、基地局を表示させることもできる。
【０１０１】
ディスプレイ１６に表示されたメニューバーのファイルボタン（図示せず）をクリックした後、ファイルの保存をクリックすると、図５の客動線表示画面と同様に、サーバ１０は、住宅地図データ表示エリア２７ｂ，２７ｃに表示された住宅地図データをファイル名および作成日時に関連付けた状態でハードディスクに格納するとともに（住宅地図データ格納手段）、各種データをファイル名および作成日時に関連付けた状態でハードディスクに格納する（各種データ格納手段）。
【０１０２】
客動線作成システムは、住居表示の町村単位または丁目単位に客動線Ｃ１，Ｃ２，Ｃ１３，Ｃ１４を表示するとともに、町村単位または丁目単位の客動線Ｃ１，Ｃ２，Ｃ１３，Ｃ１４を通る人の人数を住居表示の町村単位または丁目単位で各地点（６）〜（１）毎に表示するから、町村単位または丁目単位で通行量を把握することができ、町村単位または丁目単位の通行量の多少を確認することができる。
【０１０３】
客動線作成システムは、町村単位または丁目単位で所定の地点から目的地Ａまでの客動線Ｃ１，Ｃ２，Ｃ１３，Ｃ１４を導出することができるとともに、町村単位または丁目単位の客動線Ｃ１，Ｃ２，Ｃ１３，Ｃ１４における通行量を表示することができるから、町村単位または丁目単位の客動線Ｃ１，Ｃ２，Ｃ１３，Ｃ１４や通行量を利用し、通行量が多く宣伝効果が高い客動線上の最適な箇所を選定することができる。
【０１０４】
図１１は、ディスプレイ１６に表示された客動線・店表示画面の一例を示す図である。図１１では、各表示エリアに表示されるデータの図示を省略し、住宅地図データ表示エリア２７ｃに表示される住所表示、ビル名、マンション名、駅名、路線名、道路名、商店名、公共施設名等の各種複数の名称の図示を省略している。
【０１０５】
図５の客動線表示画面の住宅地図データ表示エリア２７ｃ（所定区域の住宅地図データ）に存在する同一分野の商品の販売店や同一分野の役務（サービス）の提供店を表示するには、図５の客動線表示画面の店検索エリア１９の店名検索ボタン１９ａ、店住所検索ボタン１９ｂ、商品・サービス検索ボタン１９ｃのいずれかをクリックする。なお、商品・サービス検索ボタン１９ｃがクリックされ、商品名入力エリアに所定の商品名が入力されたものとする。
【０１０６】
商品・サービス検索ボタン１９ｃをクリックすると、図示はしていないが、商品・サービス選択画面がディスプレイ１６に表示される。商品・サービス選択画面には、商品名入力エリア、サービス名入力エリア、決定ボタン、クリアボタン、戻るボタン、閉じるボタンが表示される。商品名入力エリアに商品名を入力した後、決定ボタンをクリックする。決定ボタンをクリックすると、サーバ１０は、住宅地図データ内（住宅地図データ表示エリア２７ｃ内）に存在してその商品名の商品を販売する販売店Ｄ（店）を住宅地図データ表示エリア２７ｃに表示した図１１の客動線・店表示画面をディスプレイ１６に表示させる（店表示手段）。
【０１０７】
図１１の客動線・店表示画面には、第６地点（６）〜中心（目的地Ａ）までの客動線Ｃ１，Ｃ２，Ｃ１３，Ｃ１４とともに、住宅地図データ内に存在する複数の販売店Ｄが表示されている。図１１の客動線・店表示画面の住宅地図データ表示エリア２７ｃに、販売店Ｄとともに、各地点から目的地Ａまでの歩行時間および歩行距離、通行量（人口数）（性別毎の通行量（人口数）、年齢別の通行量（人口数）、年齢層毎の通行量（人口数）を含む）を表示させることもできる。
【０１０８】
なお、店検索エリア１９の店名検索ボタン１９ａをクリックすると、店名入力エリア、決定ボタン、クリアボタン、戻るボタン、閉じるボタンが表示される。店名入力エリアに店名を入力した後、決定ボタンをクリックすると、サーバ１０は、住宅地図データ内（住宅地図データ表示エリア２７ｃ内）に存在するその店名の商品の販売店Ｄや役務の提供店Ｄを客動線Ｃ１〜Ｃ１４とともに住宅地図データ表示エリア２７ｃに表示した客動線・店表示画面をディスプレイ１６に表示させる（店表示手段）。
【０１０９】
また、店検索エリア１９の店住所検索ボタン１９ｂをクリックすると、店住所入力エリア、決定ボタン、クリアボタン、戻るボタン、閉じるボタンが表示される。店住所入力エリアに住所を入力した後、決定ボタンをクリックすると、サーバ１０は、住宅地図データ内（住宅地図データ表示エリア２７ｃ内）に存在するその店住所の商品の販売店（その販売店と同じ種類の商品を販売する販売店を含む）やその店住所の役務の提供店（その提供店と同じ種類の役務を提供する提供店を含む）を客動線Ｃ１〜Ｃ１４とともに住宅地図データ表示エリア２７ｃに表示した客動線・店表示画面をディスプレイ１６に表示させる（店表示手段）。
【０１１０】
ディスプレイ１６に表示されたメニューバーのファイルボタン（図示せず）をクリックした後、ファイルの保存をクリックすると、図５の客動線表示画面と同様に、サーバ１０は、住宅地図データ表示エリア２７ｂ，２７ｃに表示された住宅地図データ（販売店Ｄや提供店Ｄを含む）をファイル名および作成日時に関連付けた状態でハードディスクに格納するとともに（住宅地図データ格納手段）、各種データをファイル名および作成日時に関連付けた状態でハードディスクに格納する（各種データ格納手段）。
【０１１１】
客動線作成システムは、同一分野の商品を販売する販売店Ｄや同一分野の役務（サービス）を提供する提供店Ｄが客動線Ｃ１〜Ｃ１４とともに表示されるから、販売店Ｄや提供店Ｄが客動線Ｃ１〜Ｃ１４に沿って存在しているかを判断することができるとともに、販売店Ｄや提供店Ｄが客動線Ｃ１〜Ｃ１４のうちの通行量の多いそれに沿って存在しているかを判断することができる。
【０１１２】
客動線作成システムは、販売店Ｄや提供店Ｄの位置を客動線Ｃ１〜Ｃ１４や通行量に対応させて判断することができるから、既設の販売店Ｄや提供店Ｄの最適な移転箇所を客動線Ｃ１〜Ｃ１４や通行量から容易に判断することができ、新規の販売店Ｄや提供店Ｄの最適な設置箇所を客動線Ｃ１〜Ｃ１４や通行量から容易に判断することができる。
【０１１３】
客動線作成システムは、客動線Ｃ１〜Ｃ１４に存在する販売店Ｄや提供店Ｄの売れ筋商品や役務を把握することができるとともに、その商品や役務を購入する顧客層を把握することができるから、その販売店Ｄや提供店Ｄで販売、提供する顧客層に合わせた商品や役務を容易に選定することができ、販売店Ｄにおける商品の販売数量を増やすことができるとともに、提供店Ｄにおける役務の提供数量を増やすことができる。
【０１１４】
図１２は、ディスプレイ１６に表示された客動線・自販機表示画面の一例を示す図である。図１２では、各表示エリアに表示されるデータの図示を省略し、住宅地図データ表示エリア２７ｃに表示される住所表示、ビル名、マンション名、駅名、路線名、道路名、商店名、公共施設名等の各種複数の名称の図示を省略している。
【０１１５】
図５の客動線表示画面の住宅地図データ表示エリア２７ｃ（所定区域の住宅地図データ）に存在して同一分野の商品を販売する複数の自動販売機を表示するには、図５の客動線表示画面の自販機検索エリア２０の提供メーカー検索ボタン２０ａ、自販機商品名検索ボタン２０ｂ、自販機設置住所検索ボタン２０ｃのいずれかをクリックする。なお、自販機商品名検索ボタン２０ｂがクリックされ、自販機商品名入力エリアに所定の自販機商品名が入力されたものとする。
【０１１６】
自販機商品名検索ボタン２０ｂをクリックすると、図示はしていないが、自販機商品選択画面がディスプレイ１６に表示される。自販機商品選択画面には、自販機商品名入力エリア、決定ボタン、クリアボタン、戻るボタン、閉じるボタンが表示される。自販機商品名入力エリアに自販機商品名を入力した後、決定ボタンをクリックする。決定ボタンをクリックすると、サーバ１０は、住宅地図データ内（住宅地図データ表示エリア２７ｃ内）に存在して同一分野の商品を販売する複数の自動販売機を住宅地図データ表示エリア２７ｃに表示した図１２の客動線・自販機表示画面をディスプレイ１６に表示させる（自動販売機表示手段）。
【０１１７】
図１２の客動線・自販機表示画面には、第６地点（６）〜中心（目的地Ａ）までの客動線Ｃ１，Ｃ２，Ｃ１３，Ｃ１４とともに、住宅地図データ内に存在する複数の自動販売機Ｅが表示されている。図１２の客動線・自販機表示画面の住宅地図データ表示エリア２７ｃに、自動販売機Ｅとともに、各地点から目的地Ａまでの歩行時間および歩行距離、通行量（人口数）（性別毎の通行量（人口数）、年齢別の通行量（人口数）、年齢層毎の通行量（人口数）を含む）を表示させることもできる。
【０１１８】
なお、自販機検索エリア２０の提供メーカー検索ボタン２０ａをクリックすると、提供メーカー名入力エリア、決定ボタン、クリアボタン、戻るボタン、閉じるボタンが表示される。提供メーカー名入力エリアに提供メーカー名を入力した後、決定ボタンをクリックすると、サーバ１０は、住宅地図データ内（住宅地図データ表示エリア２７ｃ内）に存在してその提供メーカーが提供する商品の自動販売機Ｅを客動線Ｃ１〜Ｃ１４とともに住宅地図データ表示エリア２７ｃに表示した客動線・自販機表示画面をディスプレイ１６に表示させる（自動販売機表示手段）。
【０１１９】
また、自販機検索エリア２０の自販機設置住所検索ボタン２０ｃをクリックすると、自販機設置住所入力エリア、決定ボタン、クリアボタン、戻るボタン、閉じるボタンが表示される。自販機設置住所入力エリアに自販機設置住所を入力した後、決定ボタンをクリックすると、サーバ１０は、住宅地図データ内（住宅地図データ表示エリア２７ｃ内）に存在してその自販機住所に対応する自動販売機Ｅ（その自販機Ｅと同じ種類の商品を提供する自販機Ｅを含む）を客動線Ｃ１〜Ｃ１４とともに住宅地図データ表示エリア２７ｃに表示した客動線・自販機表示画面をディスプレイ１６に表示させる（自動販売機表示手段）。
【０１２０】
ディスプレイ１６に表示されたメニューバーのファイルボタン（図示せず）をクリックした後、ファイルの保存をクリックすると、図５の客動線表示画面と同様に、サーバ１０は、住宅地図データ表示エリア２７ｂ，２７ｃに表示された住宅地図データ（自動販売機Ｅを含む）をファイル名および作成日時に関連付けた状態でハードディスクに格納するとともに（住宅地図データ格納手段）、各種データをファイル名および作成日時に関連付けた状態でハードディスクに格納する（各種データ格納手段）。
【０１２１】
客動線作成システムは、同一分野の商品の自動販売機Ｅが客動線Ｃ１〜Ｃ１４とともに表示されるから、自動販売機Ｅが客動線Ｃ１〜Ｃ１４に沿って存在しているかを判断することができるとともに、自動販売機Ｅが客動線Ｃ１〜Ｃ１４のうちの通行量の多いそれに沿って存在しているかを判断することができる。
【０１２２】
客動線作成システムは、自動販売機Ｅの位置を客動線Ｃ１〜Ｃ１４や通行量に対応させて判断することができるから、既設の自動販売機Ｅの最適な移設箇所を客動線Ｃ１〜Ｃ１４や通行量から容易に判断することができ、新規の自動販売機Ｅの最適な設置箇所を客動線Ｃ１〜Ｃ１４や通行量から容易に判断することができる。
【０１２３】
客動線作成システムは、所定区域の住宅地図データに存在する自動販売機Ｅの販売数量や売れ筋商品、その商品を購入する顧客層を把握することができるから、その自動販売機Ｅに収納する顧客層に合わせた商品を容易に選定することができ、自動販売機Ｅにおける商品の販売数量を増やすことができる。
【０１２４】
図１３は、ディスプレイに表示された客動線・基地局表示画面の一例を示す図である。図１３では、各表示エリアに表示されるデータの図示を省略し、住宅地図データ表示エリア２７ｃに表示される住所表示、ビル名、マンション名、駅名、路線名、道路名、商店名、公共施設名等の各種複数の名称の図示を省略している。
【０１２５】
図５の客動線表示画面の住宅地図データ表示エリア２７ｃ（所定区域の住宅地図データ）に存在する複数の基地局を表示するには、図５の客動線表示画面の基地局検索エリア２１の基地局キャリア名検索ボタン２１ａ、基地局住所検索ボタン２１ｂのいずれかをクリックする。なお、基地局キャリア名検索ボタン２１ａがクリックされ、キャリア名入力エリアに所定のキャリア名が入力されたものとする。
【０１２６】
基地局キャリア名検索ボタン２１ａをクリックすると、図示はしていないが、基地局キャリア選択画面がディスプレイ１６に表示される。基地局キャリア選択画面には、キャリア名入力エリア、決定ボタン、クリアボタン、戻るボタン、閉じるボタンが表示される。キャリア名入力エリアにキャリア名を入力した後、決定ボタンをクリックする。決定ボタンをクリックすると、サーバ１０は、住宅地図データ内（住宅地図データ表示エリア２７ｃ内）に存在してそのキャリア名のキャリアが設置した各基地局Ｆを住宅地図データ表示エリア２７ｃに表示した図１２の客動線・基地局表示画面をディスプレイ１６に表示させる（基地局表示手段）。
【０１２７】
図１３の客動線・基地局表示画面には、第６地点（６）〜中心（目的地Ａ）までの客動線Ｃ１，Ｃ２，Ｃ１３，Ｃ１４とともに、住宅地図データ内に存在する複数の基地局Ｆが表示されている。図１３の客動線・基地局表示画面の住宅地図データ表示エリア２７ｃに、基地局Ｆとともに、各地点から目的地Ａまでの歩行時間および歩行距離、通行量（人口数）（性別毎の通行量（人口数）、年齢別の通行量（人口数）、年齢層毎の通行量（人口数）を含む）を表示させることもできる。
【０１２８】
なお、基地局検索エリア２１の基地局住所検索ボタン２１ｂをクリックすると、基地局住所入力エリア、決定ボタン、クリアボタン、戻るボタン、閉じるボタンが表示される。基地局住所入力エリアに基地局住所を入力した後、決定ボタンをクリックすると、サーバ１０は、住宅地図データ内（住宅地図データ表示エリア２７ｃ内）に存在してその基地局住所に対応する基地局Ｆ（その基地局Ｆと同じキャリアの基地局Ｆを含む）を客動線Ｃ１〜Ｃ１４とともに住宅地図データ表示エリア２７ｃに表示した客動線・基地局表示画面をディスプレイ１６に表示させる（基地局表示手段）。
【０１２９】
ディスプレイ１６に表示されたメニューバーのファイルボタン（図示せず）をクリックした後、ファイルの保存をクリックすると、図５の客動線表示画面と同様に、サーバ１０は、住宅地図データ表示エリア２７ｂ，２７ｃに表示された住宅地図データ（基地局Ｆを含む）をファイル名および作成日時に関連付けた状態でハードディスクに格納するとともに（住宅地図データ格納手段）、各種データをファイル名および作成日時に関連付けた状態でハードディスクに格納する（各種データ格納手段）。
【０１３０】
客動線作成システムは、基地局Ｆが客動線Ｃ１〜Ｃ１４とともに表示されるから、基地局Ｆが客動線Ｃ１〜Ｃ１４に沿って存在しているかを判断することができるとともに、基地局Ｆが客動線Ｃ１〜Ｃ１４のうちの通行量の多いそれに沿って存在しているかを判断することができる。客動線作成システムは、基地局Ｆの位置を客動線Ｃ１〜Ｃ１４や通行量に対応させて判断することができるから、既設の基地局Ｆの最適な移設箇所を客動線Ｃ１〜Ｃ１４や通行量から容易に判断することができ、新規の基地局Ｆの最適な設置箇所を客動線Ｃ１〜Ｃ１４や通行量から容易に判断することができる。
【符号の説明】
【０１３１】
１０    サーバ
１１    クラウド
１２    サーバ
１３    サーバ
１６    ディスプレイ
１７    インターネット
１８    地図検索エリア
１９    店検索エリア
２０    自販機検索エリア
２１    基地局検索エリア
２７ａ〜２７ｃ  住宅地図データ表示エリア
Ａ      目的地（中心）
Ｂ１    第１同心円
Ｂ２    第２同心円
Ｂ３    第３同心円
Ｂ４    第４同心円
Ｂ５    第５同心円
Ｂ６    第６同心円（第ｎ同心円）
Ｃ１〜Ｃ１４  客動線
Ｄ      販売店（提供店）
Ｅ      自動販売機
Ｆ      基地局
（１）  第１地点
（２）  第２地点
（３）  第３地点
（４）  第４地点
（５）  第５地点
（６）  第６地点（第ｎ地点）
【要約】
【課題】物品の移動を条件とせず、所定の地点から目的地までの客動線を作成することができる客動線作成システムを提供する。
【解決手段】客動線作成システムは、住宅地図データ表示エリア２７ｃの目的地Ａから径方向外方に向かって径方向の離間寸法が同一の複数の第１〜第６同心円を表示する第１〜第ｎ同心円表示手段と、道路と第１〜第６同心円との交点に第１〜第６地点（１）〜（６）を表示する第１〜第ｎ地点表示手段と、第６地点（６）から第１地点（１）に向かって目的地Ａまでの徒歩による最短ルートを順次検索する最短ルート検索手段と、第６〜第１地点（１）〜（６）から目的地Ａまでの最短ルートを住宅地図データ表示エリア２７ｃに表示する最短ルート表示手段と、目的地Ａまでの道路の最短ルートを客動線Ｃ１〜Ｃ１４として住宅地図データ表示エリア２７ｃに表示する客動線表示手段とを有する。
【選択図】図５【図１】
0005662614.tif 000002
【図２】
0005662614.tif 000003
【図３】
0005662614.tif 000004
【図４】
0005662614.tif 000005
【図５】
0005662614.tif 000006
【図６】
0005662614.tif 000007
【図７】
0005662614.tif 000008
【図８】
0005662614.tif 000009
【図９】
0005662614.tif 000010
【図１０】
0005662614.tif 000011
【図１１】
0005662614.tif 000012
【図１２】
0005662614.tif 000013
【図１３】
0005662614.tif 000014